(57)【特許請求の範囲】
【請求項１】
一端部がバケツ取付端部（３ｂ）とされたロープ（３）の他端（３ａ）側を巻回保持し、該ロープ（３）を介してバケツを吊り下げる取手であって、
取手本体（１）には、把持部（４）が備えられ、しかも、該把持部（４）の下方に、前記ロープ（３）を挿通させる挿通孔（５）と、該挿通孔（５）内に通されている部分（３ｃ）よりも他端（３ａ）側を、他端（３ａ）へ向けて巻回していく巻回部（６）と、該巻回部（６）に巻回された部分よりも更に他端（３ａ）側を係止する係止部（７）とが備えられてなることを特徴とする取手。
【請求項２】
前記挿通孔（５）は、複数備えられてなる請求項１記載の取手。
【発明の詳細な説明】
【０００１】
【発明の属する技術分野】
本発明は、釣り等において、磯、防波堤等の高いところから水を汲み上げるべく、ロープを介してバケツを吊り下げる取手に関する。
【０００２】
【従来の技術】
従来、釣り人は、磯、防波堤等の足場が比較的高い位置にある釣り場において、手洗い用、冷凍餌の解凍用、練り餌用、生かし水用等、種々の目的で水が必要となることがあるため、水汲みバケツを持参し、ロープを介して該バケツを吊り下げて、バケツ内に水を導入した後、該バケツを引き上げて水を汲み上げている。
【０００３】
ところで、このようなバケツに取り付けられるロープは、不要時に釣り場に放置しておくと、釣竿、釣糸、釣り針等が引っ掛かる等、釣りの邪魔になることもあるため、例えば、図３（イ）に示すようなロープ巻回部３４を備えた取手３３にロープ３２の先端部３２ａが固定されるとともに、該先端部３２ａからバケツ３１側の端部３２ｂに向けて巻回部３４に巻回されて纏められている。
そして、水を汲み上げる際には、ロープ３２が濡れていたりするとロープ３２が手から滑りやすく水を汲み上げにくくなることから、釣り人は、通常、バケツ３１と取手３３との距離を調節した後、該取手３３を把持し、水の汲み上げ（バケツの引き下げ及び引き上げ）を行っている。
【０００４】
【発明が解決しようとする課題】
しかしながら、上記従来の取手では、内部に水の入ったバケツを引き上げる際、不用意に、巻回軸方向が下方に向くと、バケツの重量によって、巻回された状態で取手からロープが脱抜し、引き上げかけたバケツを落とすといった事態も生じており、水汲み作業が煩雑となる場合がある。
【０００５】
これに対し、例えば、図３（ロ）に示すように、ロープ３２を巻回し、巻回終端部分３２ｃを係止部３５に引っかけて、ロープ３２の脱抜を防止するものも提案されている。
しかしながら、このような係止部に引っかけておいても、水の入ったバケツを引き上げる際には、該バケツの重量によってロープが下方に引っ張られるため、取手の傾き如何によって係止部からロープが外れやすくなることから、バケツが落下し難いとは言い得ない。
【０００６】
そこで、本発明の課題は、上記従来の問題点に鑑み、水の入ったバケツを引き上げる際に、該バケツが落下し難く、水汲み作業が簡便となる取手を提供することにある。
【０００７】
【課題を解決するための手段】
上記課題を解決すべく、本発明に係る取手は、一端部がバケツ取付端部とされたロープの他端側を巻回保持し、該ロープを介してバケツを吊り下げる取手であって、
取手本体には、把持部が備えられ、しかも、該把持部の下方に、前記ロープを挿通させる挿通孔と、該挿通孔内に通されている部分よりも他端側を、他端へ向けて巻回していく巻回部と、該巻回部に巻回された部分よりも更に他端側を係止する係止部とが備えられてなることを特徴とする。
【０００８】
斯かる構成からなる取手は、一端部がバケツ取付端部とされたロープの他端側を挿通孔に挿通させ、該挿通孔内に通されている部分よりも他端側を、挿通孔側から他端側へ（他端へ向けて）巻回していき、更に他端側を係止部に係止することにより、取手にロープを巻回保持させることができる。
そして、バケツ取付端部にバケツを取り付けて水を汲み上げることができる。
このとき、吊り下げるバケツの重量が重く、ロープが下方に強く引っ張られても、ロープは挿通孔を挿通して下方に延びていることとなるため、巻回軸方向に巻回状態でロープが脱抜する虞も少ない。
また、仮に、水の入ったバケツの重量が重いため、ロープが強く下方に引っ張られることによって、ロープが僅かに下方に移動しても、ロープの巻回されている部分が強く緊張することになり、従って、巻回部において、巻回部周面とロープ又はロープ同士が強く圧接して摩擦が増大することから、ロープは確実に取手に巻回保持されることになり、引き上げかけたバケツを水面に落とす虞も低減され、その結果、水汲み作業も容易となる。
尚、巻回部で巻回されたロープは、更に他端側で係止部に係止されることにより、不用意にロープの巻回が解ける虞も低減する。
【０００９】
本発明においては、前記挿通孔は、複数備えられてなるものが好ましい。
ロープを複数の挿通孔に挿通させることにより、ロープと取手（挿通孔）との摩擦が増大し、巻回部にロープを巻回する際に、片手で取手を保持し、もう一方の片手でロープにテンションをかけつつ巻回し易くなる。
斯かる複数の挿通孔は、孔の軸方向が連続しないように備えられてなるものが好ましい。
斯かる構成であれば、複数の挿通孔を通ったロープは、屈曲することになるため、よりロープと取手との摩擦が増大し、より一層、片手でロープにテンションをかけつつ、巻回部に巻回し易くなる。
【００１０】
【発明の実施の形態】
以下、本発明の実施の形態について、図面を参照しつつ説明する。
図１は、本実施形態の取手及び該取手でバケツ１０を吊り下げるためのロープを示す正面図である。
図１（イ）に示すように、本実施形態の取手は、板状の形態をなす取手本体１から構成されてなり、該取手本体１には、上部において手で握るための把持部４が備えられている。
また、前記把持部４の下方には、ロープ３を巻回可能な巻回部６が備えられている。
この巻回部６は、巻回されたロープ３の巻回軸方向への脱抜を防止すべく、両側部が内方に凹入して形成されている。
さらに、この巻回部６には、ロープ３を挿通可能な２個の挿通孔５が同一平面上に備えられ、この挿通孔５の双方に掛け渡された部分３ｄ（ロープ３）が、巻回部６に巻回された部分（ロープ３）に圧接されるようにされてなる。
【００１１】
本実施形態において使用されるロープ３は、一端部においてバケツ１０を取付可能なバケツ取付端部３ｂが形成されている。通常、このロープ３は、前記挿通孔５の双方に挿通されており、他端３ａ（バケツ取付端部３ｂと反対の端部）において、結び目等のストッパー３ａが形成されて、挿通孔５からの脱抜が防止されている。
【００１２】
更に、図１（ロ）に示すように、このロープ３は、通常、前記ストッパー３ａ側が引っ張られ、挿通孔５内に通されている部分３ｃ（挿通孔３内に位置する部分）よりもバケツ取付端部３ｂ側（一端側）の部分が順次挿通孔５に通されることにより（これにより、挿通孔５内に通されている部分３ｃは、順次、バケツ取付端部３ｂ側に移動する）、取手からバケツ取付端部３ｂまでの長さが調整され、このときに挿通孔５内に通されている部分３ｃよりも他端３ａ側となる部分が、前記巻回部６に巻回されて、前記取手に保持されている。
尚、巻回部６への巻回は、ロープ３の巻回される部分の挿通孔５側が内側となり、他端３ａ側に移行するにつれて順次外側となるように、矢印Ｘに示す如く、挿通孔５側から他端３ａへと巻回されている。
【００１３】
前記取手本体１には、把持部４の上方に前記ロープ３を狭入可能な狭入係止部７が備えられてなり、巻回部６に巻回されたロープ３は、図１（ロ）、図２に示すように、巻回された部分よりも更に他端３ａ側が、前記把持部４よりも上方に備えられた狭入係止部７に矢印Ｙ方向に狭入されて、係止されている。
【００１４】
この取手を用いて水を汲み上げる場合、図２に示すように、先ずロープ３のバケツ取付端部３ｂをバケツ１０の堤手１１に取り付けて、該バケツ１０を吊り下げて水を汲み上げる。
【００１５】
再度、バケツ１０と取手との距離を調整する場合には、先ず、挟入係止部７からロープ３を取り外し巻回を解いてから、ロープ３の挿通孔５に通されている部分３ｃをバケツ取付端部３ｂ側又は他端３ａ側に移動させて距離調整した後、再度、他端３ａ側を巻回部６に巻回し、狭入係止部７に係止させる。
【００１６】
尚、不要時には、ロープ３の挿通孔５内に通されている部分３ｃよりもバケツ取付端部３ｂ側をも巻回部６に巻回して纏めることにより、釣りの邪魔となるなる虞も低減される。
【００１７】
本実施形態によれば、吊り下げるバケツ１０の重量が重く、ロープ３が下方に強く引っ張られても、ロープ３は挿通孔５から下方に延びることととなるため、巻回状態でロープ３が脱抜する虞も少なく、仮に、ロープ３がバケツ１０の方向に僅かにスライド（移動）しても、巻回部６において、巻回されている部分（ロープ３）が強く緊張し、ロープ３同士の圧接力が向上することから、ロープ３が挿通孔５から抜けて行く（下方に落ちていく）虞も殆ど無く、引き上げかけたバケツ１０を水面に落とす虞も低減され、その結果、水汲み作業が容易となる。
【００１８】
また、複数の挿通孔５は、ロープ３の該挿通孔５間に掛け渡された部分３ｄが、巻回部６に巻回された部分に圧接されるように、巻回部６に備えられてなるので、複数の挿通孔５間に掛け渡された部分３ｄが、巻回部６に巻回された部分に圧接されることにより、ロープ３が挿通孔５から抜けて行く虞もより一層低減される。
【００１９】
さらに、狭入係止部７が把持部４の上方に備えられてなるので、バケツ１０を引き上げる際に、万一、狭入係止部７からロープ３が外れても、ロープ３の巻回が解かれる前に、狭入係止部７からロープ３が外れた事実を上方から発見し易く、引き上げかけたバケツ１０を不用意に落とす虞もより一層低減される。
【００２０】
尚、本実施形態の取手は、上記の如く構成され、上述の如き利点を有するものであったが、本発明の取手は、本実施形態に限定されず、適宜設計変更可能である。
【００２１】
【発明の効果】
以上のように、本発明に係る取手は、水の入ったバケツを吊り下げた際に、バケツが落下し難く、水汲み作業が簡便となるという利点を有する。
【図面の簡単な説明】
【図１】（イ）（ロ）共に、一実施形態の取手を示す正面図。
【図２】同実施形態の取手を用いてバケツを吊り下げた状態を示す斜視図。
【図３】（イ）（ロ）共に、従来の取手を示す斜視図。
【符号の説明】
１・・・取手本体、３・・・ロープ、３ａ・・・他端、３ｂ・・・バケツ取付端部、４・・・把持部、６・・・巻回部、７・・・係止部
【図１】
0004695782.tif 000002
【図２】
0004695782.tif 000003
【図３】
0004695782.tif 000004